(57)【要約】【課題】オーバーチューブや酸素チューブ等の外部機器と接続することに適した構造を持つバイトブロック及びガスセンサキットを提供すること。【解決手段】口腔挿入部１１は、装着時に被験者の口腔と接する筒状の部材である。プレート１２は、口腔挿入部１１からフランジ状に形成されている。口腔外配置部１３は、  装着時にプレート１２から少なくとも一部が外部に露出するように配置され、口腔挿入部１１の穴１５と連通する筒状である。口腔外配置部１３は、装着時の外部露出面に外部機器と接続する少なくとも一つの貫通孔（１３１〜１３３のいずれか）を有する。【選択図】図１
2017221309.tif 000002
【特許請求の範囲】
【請求項１】
装着時に被験者の口腔と接する筒状の口腔挿入部と、
前記口腔挿入部からフランジ状に形成されたプレートと、
装着時に前記プレートから少なくとも一部が外部に露出するように配置され、前記口腔挿入部の穴と連通する筒状の口腔外配置部と、
を備え、
前記口腔外配置部は、装着時の外部露出面に外部機器と接続する少なくとも一つの貫通孔を有する、バイトブロック。
【請求項２】
前記口腔外配置部は、開口面が平面形状を有する、ことを特徴とする請求項１に記載のバイトブロック。
【請求項３】
前記貫通孔は、前記バイトブロックを前記被験者が装着して正面視した際に、前記被験者の顔面の左右方向に少なくとも２つ設けられている、ことを特徴とする請求項１または請求項２に記載のバイトブロック。
【請求項４】
前記貫通孔は、前記被験者の口腔にガスを導くガス導入孔である、ことを特徴とする請求項１または請求項２に記載のバイトブロック。
【請求項５】
前記バイトブロックは、ネーザルアダプタと接続する取付孔を有する、ことを特徴とする請求項１〜４のいずれか１項に記載のバイトブロック。
【請求項６】
前記取付孔は、短軸と長軸を有する細長形状である、ことを特徴とする請求項５に記載のバイトブロック。
【請求項７】
請求項１〜請求項６のいずれか１項に記載のバイトブロックと、
前記バイトブロックと接続して鼻孔付近に取り付けられるネーザルアダプタと、
を有する、ガスセンサキット。
【発明の詳細な説明】
【技術分野】
【０００１】
本発明は、外部機器（オーバーチューブ等）との接続を行うバイトブロック及びガスセンサキットに関する。
【背景技術】
【０００２】
内視鏡を用いた検査等を行う場合、被験者の口腔を空けたままにするための機器であるバイトブロックが広く用いられている。バイトブロックは筒状（好適には略円錐形）の形態をしており、被験者はバイトブロックの外側面を咬合する。
【０００３】
特許文献１は、唾液等の分泌物の影響を回避して被験者の呼吸状態を正確に測定できるバイトブロックを開示している。当該バイトブロックは、導管が挿入される穴を有する筒状の第１壁と、第１壁を囲繞して口腔と対向する第２壁と、第１壁と第２壁との間の空隙から構成されるサンプルポートへのガス流路を備える（特許文献１図１、図２）。当該バイトブロックには、呼吸情報収集用アダプタが取り付け可能に構成され、当該呼吸情報収集用アダプタに対してプロングを取り付けられる構成である（特許文献１図４）。そしてプロングには、酸素供給源から酸素供給がなされる（特許文献１段落００２４）。
【先行技術文献】
【特許文献】
【０００４】
【特許文献１】特許５３８５５９９号公報
【発明の概要】
【発明が解決しようとする課題】
【０００５】
ところで、検査や治療の目的に応じて、バイトブロックにオーバーチューブを接続したいケースがある。バイトブロックにオーバーチューブ等を接続する場合、バイトブロックにオーバーチューブとの接続構造を設ける必要がある。バイトブロックに接続構造を設ける場合、バイトブロックの開口面（被験者と直接接しない面）の構造が複雑（例えば開口面にオーバーチューブと接続する凹凸構造を持つ形状）なってしまうことがあった。これにより、内視鏡を用いた診断中に開口面に内視鏡装置の軟性チューブ等が引っかかり、スムーズな診断ができない恐れがあった。
【０００６】
また、バイトブロックを使用して処置や診断を行いつつ、被験者の口腔に対して酸素ガスを投与して呼吸状態の安定を図りたいケースもある。特許文献１の構成は、バイトブロックとネーザルアダプタを接続し、ネーザルアダプタに接続したプロングから鼻孔に酸素ガスを投与する構成である。しかしながら、鼻孔ではなく（または鼻孔に加えて）口腔からも酸素ガスを供給したいケースがある。この場合、酸素チューブの取り付け機構をバイトブロックに設けると、バイトブロックの開口面（被験者と直接接しない面）の構造が複雑（例えば開口面に酸素チューブと接続する凹凸構造を持つ形状）なってしまうことがあった。
【０００７】
このように一般的なバイトブロック（特許文献１の構成を含む）は、オーバーチューブや酸素チューブ等の外部機器と接続することに適した構造となっていない恐れがあった。
【０００８】
そこで本発明は、オーバーチューブや酸素チューブ等の外部機器と接続することに適した構造を持つバイトブロック及びガスセンサキットを提供することを主たる目的とする。
【課題を解決するための手段】
【０００９】
本発明にかかるバイトブロックの一態様は、
装着時に被験者の口腔と接する筒状の口腔挿入部と、
前記口腔挿入部からフランジ状に形成されたプレートと、
装着時に前記プレートから少なくとも一部が外部に露出するように配置され、前記口腔挿入部の穴と連通する筒状の口腔外配置部と、を備え、
前記口腔外配置部は、装着時の外部露出面に外部機器と接続する少なくとも一つの貫通孔を有する、ものである。
【００１０】
上述のバイトブロックは、装着時に外部に露出する口腔外配置部に貫通孔が設けられた構成である。この貫通孔は、バイトブロックと外部機器（オーバーチューブ、酸素チューブ等）を接続する接続機構として作用する。貫通孔が接続機構として作用することにより、口腔外配置部の開口面をシンプルな形状（好適には平面形状）とすることができる。これにより、内視鏡等の処置を行っている場合であっても軟性チューブが開口面にひっかかる恐れ等が軽減される。
【発明の効果】
【００１１】
本発明は、オーバーチューブや酸素チューブ等の外部機器と接続することに適した構造を持つバイトブロック及びガスセンサキットを提供することができる。
【図面の簡単な説明】
【００１２】
【図１】実施の形態１にかかるバイトブロック１０の斜視図である。
【図２】実施の形態１にかかるバイトブロック１０の装着時の外観を示す概念図である。
【図３】実施の形態１にかかるバイトブロック１０の正面図である。
【図４】実施の形態１にかかるバイトブロック１０の背面図である。
【図５】実施の形態１にかかるバイトブロック１０の右側面図である。
【図６】実施の形態１にかかるバイトブロック１０の左側面図である。
【図７】実施の形態１にかかるバイトブロック１０の上面図である。
【図８】実施の形態１にかかるバイトブロック１０の下面図である。
【図９】実施の形態１にかかるバイトブロック１０の断面図である。
【図１０】実施の形態１にかかるバイトブロック１０の断面図である。
【図１１】実施の形態１にかかるバイトブロック１０の断面図である。
【図１２】実施の形態１にかかるバイトブロック１０の装着時の外観を示す概念図である。
【発明を実施するための形態】
【００１３】
＜実施の形態１＞
以下、図面を参照して本発明の実施の形態にかかるバイトブロック１０及びガスセンサキット１００について説明する。各図において、同一の構成要素には同一符号及び同一名称を付して重複する説明を省略する。また、理解の容易化のため、各構成要素のサイズや形状については適宜調整して記載する。
【００１４】
図１は、本実施の形態にかかるバイトブロックの構成を示す斜視図である。なお、以下の説明及び図面において、バイトブロック１０を被験者が装着した際の各方向を以下のように定める。被験者にバイトブロック１０を装着して正面視した際の被験者の顔面の左右方向をＸ方向（左側面方向が＋Ｘ方向、右側面方向が−Ｘ方向）とし、被験者の顔面の上下方向をＹ方向（頭頂方向が＋Ｙ方向、顎方向が−Ｙ方向）とし、被験者の口腔内方向を−Ｚ方向、被験者の口腔から離れる方向を＋Ｚ方向とする。
【００１５】
バイトブロック１０は、口腔挿入部１１、プレート１２、口腔外配置部１３、及びコネクタ部１４を有する。なお、バイトブロック１０の使用時に呼吸測定を行わない場合、バイトブロック１０はコネクタ部１４を持たない構成であってもよい。
【００１６】
口腔挿入部１１は、被験者の口腔に挿入される筒状（好適には被験者の口腔に当接するように湾曲した筒状の形状）部材である。換言すると口腔挿入部１１は、内視鏡装置のチューブ等を体内に導く穴１５を持つ筒状の形状である。口腔挿入部１１は、例えばプラスチック等の部材から構成されれば良い。
【００１７】
口腔外配置部１３は、口腔挿入部１１の穴１５（チューブ等を体内に導く穴）と連通した筒状部材である。口腔外配置部１３は、側面（装着時に外部に露出する面）に少なくとも１つの貫通孔を有する。図１の例では貫通孔１３１、貫通孔１３２、及び貫通孔１３３が設けられている。貫通孔１３１及び貫通孔１３２は、オーバーチューブ（図１２を参照して後述）等の外部機器と接続する際に接続機構として作用する係止孔である。すなわち本例では、バイトブロック１０を被験者に装着して正面視した場合（＋Ｚ方向からバイトブロック１０を見た場合）、被験者の顔面の左右方向（Ｘ軸方向）に２つの貫通孔１３１、１３２が設けられている。貫通孔１３１及び１３２は、穴１５と口腔外配置部１３の外側面を連通する。
【００１８】
チューブ導入部１３５には、治療ガスを供給するチューブと接続する貫通孔１３３が設けられている。貫通孔１３３は、治療ガス（水素ガス等であってもよいが、以下の説明では酸素ガスであるものとする。）用のチューブ（以下、酸素チューブであるものとする）と接続し、酸素ガスを口腔内に取り込むための貫通孔である。貫通孔１３３の構成については、図９〜図１１を参照して後述する。
【００１９】
口腔外配置部１３の開口面１３４（＋Ｚ方向の端面）は、限定はされないものの、図示するような平面形状（略平面形状を含む）であることが好ましい。換言すると開口面１３４は、口腔外配置部１３に内視鏡用のチューブ等が引っかかるような凹凸の無い形状であることが好ましい。
【００２０】
プレート１２は、口腔挿入部１１からフランジ状（換言するとＸ軸方向及びＹ軸方向にはみ出るように設けられた形状）に形成された部材である。被験者がバイトブロック１０を装着した場合、プレート１２の口腔挿入部１１側の面は被験者の唇や歯と当接し（または近接し）、対向面は被験者の唇や歯と接触しない。フランジ状のプレート１２が配置されることにより、口腔外配置部１３の一部（プレート１２よりも＋Ｚ側）は装着時に外部に露出した状態となる。
【００２１】
コネクタ部１４は、口腔外配置部１３の上部側（＋Ｙ方向側）に設けられている。コネクタ部１４は、ネーザルアダプタ２０（図２を用いて後述する。）又はその他のアダプタとの接続機構である。本例ではコネクタ部１４は、Ｘ軸方向に対向する取付孔１４１及び取付孔１４２を有する。この取付孔１４１及び１４２に対してネーザルアダプタ２０のボス等を嵌合させることにより、バイトブロック１０とネーザルアダプタ２０を接続する。
【００２２】
なお取付孔１４１及び取付孔１４２は、図示するようにＹ軸方向が長軸となる細長形状であることが望ましい。当該細長形状であることにより、ネーザルアダプタ２０が上下方向（Ｙ軸方向）に移動可能となり、被験者の顔の大きさ等に合わせてネーザルアダプタ２０及びバイトブロック１０の接触度合いを調節可能となる。なお、取付孔１４１及び１４２の長軸方向は、必ずしもＺ軸と直交するような方向でなくてもよく、高さ（取付孔１４１、１４２のＹ軸方向の長さ）が幅（取付孔１４１、１４２のＺ軸方向の長さ）よりも大きい構成であればよい。
【００２３】
バイトブロック１０の装着形態を図２を参照して説明する。なお図２では、バイトブロック１０に対してネーザルアダプタ２０（一部がガス供給ユニット３０と重なり不図示）及びガス供給ユニット３０（酸素チューブ３１を介して酸素を供給するユニットである。なお処置の目的によっては無くても構わない。）が取り付けられている例を示している。すなわち図２は、バイトブロック１０とネーザルアダプタ２０を有するガスセンサキット１００の外観を示している。ネーザルアダプタ２０の２つのネーザルチューブは、被験者の鼻孔付近に配置される。
【００２４】
図示するように口腔外配置部１３が被験者の口腔外に露出した構成となる。そのため、貫通孔１３１〜１３３が被験者の口腔外に露出する。換言すると口腔外配置部１３の外部露出面に貫通孔１３１〜１３３が設けられる。
【００２５】
続いて図３〜図８の六面図を参照してバイトブロック１０の構成を更に説明する。図３は、バイトブロック１０の正面図（＋Ｚ方向からバイトブロック１０を見た時の図）である。図示するように被験者装着時の上下左右の略中心位置（Ｘ軸及びＹ軸の中心位置）に穴１５が設けられ、穴１５を囲繞するようにして口腔外配置部１３が設けられている。口腔外配置部１３の下部（−Ｙ方向）には貫通孔１３３（図３では不図示）が設けられたチューブ導入部１３５が配置され、上部（＋Ｙ方向）にはコネクタ部１４が配置されている。
【００２６】
図４は、バイトブロック１０の背面図（−Ｚ方向からバイトブロック１０を見た時の図）である。図３と同様に穴１５が被験者装着時の上下左右の略中心位置に配置されている。穴１５を囲繞するようにして口腔外配置部１３及び口腔挿入部１１が配置されている。
【００２７】
図５は、バイトブロック１０の右側面図（−Ｘ方向からバイトブロック１０を見た時の図）である。プレート１２は、口腔挿入部１１からはみ出るようにして設けられている。なお右側面から見たプレート１２の上端及び下端が湾曲している形状となっているが、必ずしもこれに限られず、プレート１２の形状は口腔挿入部１１と口腔外配置部１３を隔てるような形状であればよい。
【００２８】
口腔挿入部１１は、Ｚ軸方向を高さとする筒状の部材である。口腔挿入部１１は、穴１５から離れる方向（図５ではＹ軸方向）に凸となる凸部１１１を有する。この凸部１１１を有することにより、被験者が咳き込んだ場合やむせた場合であっても凸部１１１が被験者の口腔内（唇や歯）に引っかかり、バイトブロック１０の意図しない脱落を防止することができる。
【００２９】
口腔外配置部１３は、プレート１２から＋Ｚ方向に延伸する筒状の部材である。口腔外配置部１３は、一部がプレート１２よりも外部側（＋Ｚ側）に露出した構造である（図９でも説明する。）。口腔外配置部１３の側面部分（外部露出面）には貫通孔１３１が設けられている。貫通孔１３１は、口腔外配置部１３の外側面と穴１５を連通する孔である。コネクタ部１４は、口腔外配置部１３の上部（＋Ｙ方向）に設けられている。コネクタ部１４には、細長形状の取付孔１４１が設けられている。
【００３０】
図６は、バイトブロック１０の左側面図（＋Ｘ方向からバイトブロック１０を見た時の図）である。ここでは図５と異なる点を説明する。口腔外配置部１３の側面部分には貫通孔１３２が設けられている。貫通孔１３２は、口腔外配置部１３の外側面と穴１５を連通する孔である。チューブ導入部１３５は、酸素チューブと着脱可能な貫通孔１３３を有する。貫通孔１３３は、被験者の口腔に治療用ガスを導く流路となる孔である。貫通孔１３３の詳細構成は図９〜図１１の断面図を参照して後述する。
【００３１】
図７は、バイトブロック１０の上面図（＋Ｙ方向からバイトブロック１０を見た時の図）である。上面から見た場合、口腔外配置部１３には、ネーザルアダプタ２０等と接続するコネクタ部１４が設けられている。プレート１２は、中央が＋Ｚ方向に湾曲した（たわんだ）形状となっている。プレート１２の形状は図７のものに限られないものの、このような湾曲形状であることにより被験者の唇にフィットしやすくなる。
【００３２】
図８は、バイトブロック１０の下面図（−Ｙ方向からバイトブロック１０を見た時の図）である。下面から見た場合、口腔外配置部１３にはチューブ導入部１３５が設けられている。
【００３３】
続いて、図９〜図１１の断面図を参照して、穴１５や貫通孔１３３の構造について説明する。図９は、図３におけるＡ−Ａ断面を示す。図１０は、図６におけるＢ−Ｂ断面を示す。図１１は、図６におけるＣ−Ｃ断面を示す。
【００３４】
貫通孔１３３は＋Ｘ方向から−Ｘ方向に延伸し（図１０）、延伸した端部（−Ｘ方向の端部）が流路１３６に接続する（図９、図１０）。流路１３６は、−Ｚ方向に延伸して穴１５に連通する（図９）。すなわち貫通孔１３３は、穴１５と口腔外配置部１３を連通するガス導入孔の一態様である。図１１に示すように貫通孔１３３（換言すると流路１３６）は、口腔挿入部１１及び口腔外配置部１３との間に設けられた空隙となる。
【００３５】
図９を参照すると穴１５は、口腔外配置部１３と口腔挿入部１１を連通するように配置される。開口面１３４（穴１５の＋Ｚ側の終端面）は、平面形状である。バイトブロック１０の装着時には、被験者がバイトブロック１０を深く咥え込んだとしてもプレート１２が被験者の唇付近に引っかかる。口腔外配置部１３は、一部がプレート１２よりも外部側（＋Ｚ側）に露出した構造である。そのため口腔外配置部１３の少なくとも一部は、口腔外に露出した状態となる。この露出した箇所に、貫通孔１３１（図９には図示せず）、貫通孔１３２、及び貫通孔１３３が設けられる。
【００３６】
続いて図１２を参照してバイトブロック１０にオーバーチューブ４０を接続した場合の装着形態を説明する。オーバーチューブ４０（外部機器の一態様）は、貫通孔１３１及び貫通孔１３２（図１２には図示せず）に対して嵌合用の凸部やボスを挿入する。これによりオーバーチューブ４０は、バイトブロック１０と接続する。なおオーバーチューブ４０は、貫通孔１３１、１３２を介してバイトブロック１０と接続するものであれば良く、貫通孔１３１、１３２に対してどのように固定（例えば挿嵌、外嵌、嵌合、緊合、係合、咬合、等を含む）されてもよい。
【００３７】
続いて本実施の形態にかかるバイトブロック１０の効果について説明する。バイトブロック１０は、装着時に外部に露出する口腔外配置部１３に貫通孔１３１〜１３３が設けられた構成である。この貫通孔１３１〜１３３は、バイトブロック１０と外部機器（オーバーチューブ、酸素チューブ等）を接続する接続機構として作用する。貫通孔１３１〜１３３によって接続機構を作用させることにより、口腔外配置部１３の開口面１３４の形状を簡易なものとすることができる。これにより内視鏡診断時の軟性チューブの引っ掛かり等を回避できる。
【００３８】
フランジ状のプレート１２により隔てられて外部に露出する口腔外配置部１３に貫通孔１３１〜１３３があることにより、バイトブロック１０と外部機器と接続しているか否かを容易に把握できると共に、外部機器との着脱が容易となる。例えばバイトブロック１０を装着した後にオーバーチューブや酸素チューブを接続したいという要求が生じた場合であっても、外部露出した貫通孔１３１〜１３３に外部機器を取り付けることができる。換言すると被験者にバイトブロック１０を着用したまま外部機器を取り付けることができる。
【００３９】
またフランジ状のプレート１２が壁のように作用するため、唾液の影響（例えば酸素チューブへの唾液の混入）を軽減することができる。
【００４０】
口腔外配置部１３の開口面１３４は特に平面形状であることが好ましい（図５等）。開口面１３４が平面形状であることにより、内視鏡等の処置を行っている場合であっても軟性チューブが開口面１３４にひっかかる恐れ等が軽減される。すなわちスムーズな内視鏡等の処置を実現することができる。
【００４１】
貫通孔１３１と貫通孔１３２は、バイトブロック１０を被験者が装着して正面視した際に、被験者の顔面の左右方向にそれぞれ設けられている。これにより両側からオーバーチューブ（または類する外部機器）をしっかりと係止することができる。
【００４２】
貫通孔１３３は、治療用のガスを口腔に導くガス導入孔として作用する。貫通孔１３３が治療用ガスを取り込むことにより、被験者は口腔からも治療用のガス（例えば酸素）を吸引することができる。
【００４３】
またバイトブロック１０は、ネーザルアダプタ２０と接続するコネクタ部１４を有し、コネクタ部１４はネーザルアダプタ２０が取り付けられる取付孔１４１、１４２を有する。これにより用途に応じてバイトブロック１０とネーザルアダプタ２０を着脱することができる。
【００４４】
以上、本発明者によってなされた発明を実施の形態に基づき具体的に説明したが、本発明は既に述べた実施の形態に限定されるものではなく、その要旨を逸脱しない範囲において種々の変更が可能であることはいうまでもない。
【００４５】
例えば酸素供給を行わない場面での使用を想定している場合、バイトブロック１０は貫通孔１３３を有さない構成であってもよい。またバイトブロック１０は、オーバーチューブと接続するための貫通孔１３１のみを有する構成であってもよい。換言するとバイトブロック１０は、一つの貫通孔１３１のみを嵌め合わせることによりオーバーチューブと接続してもよい。
【００４６】
またバイトブロック１０は、貫通孔１３１や１３２の代わりに溝を設けることによってオーバーチューブと接続してもよい。すなわちバイトブロック１０は、口腔外配置部１３の外側面に外部機器（オーバーチューブ等）と接続する少なくとも１つの孔または溝が設けられている構成であればよい。
【００４７】
同様にオーバーチューブを接続しない場面での使用を想定している場合、バイトブロック１０は貫通孔１３１及び１３２を有さない構成（チューブと接続する貫通孔１３３のみを有する構成）であっても構わない。
【符号の説明】
【００４８】
１０  バイトブロック
１１  口腔挿入部
１２  プレート
１３  口腔外配置部
１３１〜１３３  貫通孔
１３４  開口面
１３５  チューブ導入部
１４  コネクタ部
１４１、１４２  取付孔
１５  穴
１５１、１５２  境界線
２０  ネーザルアダプタ
３０  酸素供給ユニット
４０  オーバーチューブ
１００  ガスセンサキット
【図１】
2017221309.tif 000003
【図２】
2017221309.tif 000004
【図３】
2017221309.tif 000005
【図４】
2017221309.tif 000006
【図５】
2017221309.tif 000007
【図６】
2017221309.tif 000008
【図７】
2017221309.tif 000009
【図８】
2017221309.tif 000010
【図９】
2017221309.tif 000011
【図１０】
2017221309.tif 000012
【図１１】
2017221309.tif 000013
【図１２】
2017221309.tif 000014